(57)【特許請求の範囲】
【請求項１】
略水平方向または傾斜方向に回転中心軸を有する回転ドラムと、前記回転ドラムを内包する水槽と、洗剤を収容し前後が長手方向の洗剤収容容器と、前記洗剤収容容器に注水を行う注水蓋体と、前記洗剤収容容器を引き出し自在に収容する空間部を構成する洗剤投入部枠体と、前記洗剤投入部枠体と前記水槽とを連通する水槽給水経路とを備え、
前記液体収容容器は、長手方向の最後部に粉末洗剤を投入する粉末洗剤収容部と、その前方に液体洗剤を投入する液体洗剤収容部と、最前部に液体仕上剤を投入する液体仕上剤収容部とを有し、
前記液体仕上剤収容部は、底部に筒状の液体仕上剤投入口が上方に向けて立設されるとともに、液体仕上剤受入口が開口され前記液体仕上剤投入口を外方から覆う円筒状の筒状突出部が下方に向けて立設された収容部蓋体により上方を覆われ、
前記洗剤収容容器には、その側部下方に前記液体仕上剤投入口から液体仕上剤が供給された水とともに流れ込む投入路が形成され、
前記液体洗剤収容部は、前記投入路に液体洗剤が流れ込むための流出口が後角隅に形成され、底面部が前記流出口に向かって傾斜するとともに、前記液体仕上剤収容部との仕切り壁が上方から見た平面形状で前記流出口に向かって傾斜するように構成し、
前記投入路に流れ込んだ水、液体洗剤および液体仕上剤は、前記液体投入部枠体の底部に形成された洗剤液供給路から前記水槽給水経路を経由して、前記水槽内に供給されるようにしたドラム式洗濯機。
【発明の詳細な説明】
【技術分野】
【０００１】
本発明は、略水平方向または傾斜方向の回転軸を中心に回転自在に配設した回転ドラム内で洗濯物を洗い、すすぎ、脱水、乾燥するドラム式洗濯機に関するものである。
【背景技術】
【０００２】
従来、この種のドラム式洗濯機は、洗剤を投入する洗剤ケースを備え、運転開始に先立ち前記洗剤ケース内に洗剤や，仕上剤等を予め投入しておく構成がとられてきた（例えば、特許文献１参照）。
【０００３】
図４は、引用文献１に記載された従来のドラム式洗濯機の縦断面図、図５は、同ドラム式洗濯機の洗剤投入部（洗剤収容容器）の斜視図、図６は、同ドラム式洗濯機の洗剤投入部（洗剤収容容器）の断面図である。
【０００４】
図４に示すように、ドラム式洗濯機１０１は、洗濯機筐体１０２内に、図示しないサスペンション構造によって水槽１０３が宙吊り状態に配設され、水槽１０３内に有底円筒形に形成された回転ドラム１０４が配設されている。回転ドラム１０４は水槽１０３の背面側に取り付けられたモータ１０６によって正転及び逆転方向に回転駆動される。
【０００５】
この洗濯機筐体１０２の上部に、洗剤を収容する洗剤収容容器１２１と、給水配管に接続されて洗剤収容容器１２１に給水する給水路１３１と、断面略コ字状に形成され、その上面に注水蓋体１３０を固定するとともに、この注水蓋体１３０との間に形成された空間に洗剤収容容器１２１を引き出し自在に収容する洗剤投入部枠体１４０とを備えた洗剤投入部１２０が配設され、洗剤投入部枠体１４０は下面の洗剤供給路１４１で前記水槽１０３に給水経路１２６で通水可能に配管される。
【０００６】
図５の斜視図、図６の断面図において、洗剤収容容器１２１には、奥側に設けられ、粉末合成洗剤を収容する粉末洗剤収容部１２２と、前記粉末洗剤収容部１２２の前面側に隣接した位置に配された、液体洗剤や液体漂白剤を収容する液体洗剤収容部１２３、および前記液体洗剤収容部１２３と横並びの位置に配された液体仕上剤を収容する液体仕上剤収容部１２４とを備えて構成されている。
【０００７】
前記粉末洗剤収容部１２２の奥には、投入した粉末洗剤を収容保持するとともに、給水にて洗剤液として流出させる為に、開口であるスリット１５０ａを有する洗剤落下防止板１５０を設けている。
【０００８】
そして、粉末洗剤収容部１２２の下流側には粉末洗剤投入路１２２ａが形成されており、また、液体洗剤収容部１２３と液体仕上剤収容部１２４の下流側にはそれぞれ液体洗剤投入路１２３ａと液体仕上剤投入路１２４ａとが形成されている。
【０００９】
このように構成された洗剤投入部１２０には、洗い行程において、注水蓋体１３０の下面に形成した複数個の透孔である注水口（図示せず）から粉末洗剤収容部１２２、および液体洗剤収容部１２３に注水され、また、すすぎ行程においては、前記注水口から液体仕上剤収容部１２４に注水される。
【００１０】
そして、洗い行程において、粉末洗剤収容部１２２で粉末合成洗剤を希釈拡散した洗剤液は、スリット１５０ａより粉末洗剤投入路１２２ａを経由して、洗剤液供給路１４１および給水経路１２６を通じて、水槽１０３内に送給される。あるいは、液体洗剤収容部１２３で液体洗剤を希釈拡散した洗剤液は、サイフォンの原理により液体洗剤投入路１２３ａを経由して、洗剤液供給路１４１および給水経路１２６を通じて、水槽１０３に送給される。また、すすぎ行程において、液体仕上剤収容部１２４で液体仕上剤を希釈拡散した仕上液は、同様にサイフォンの原理により、液体仕上剤投入路１２４ａを経由して、洗剤液供給路１４１および給水経路１２６を通じて、水槽１０３に送給される。
【先行技術文献】
【特許文献】
【００１１】
【特許文献１】特開２００８−９９９２０号公報
【発明の概要】
【発明が解決しようとする課題】
【００１２】
しかしながら、前記従来の構成では、洗剤収容容器１２１内において、粉末洗剤収容部１２２の前面側に、液体洗剤収容部１２３と液体仕上剤収容部１２４とが横並びに配置されているが、それぞれの収容部の下流側に、略同一形状の液体洗剤投入路１２３ａおよび液体仕上剤投入路１２４ａが形成されている。このため、省スペース性および金型構造の複雑さによる原価高という課題を有していた。
【００１３】
本発明は、前記従来の課題を解決するもので、希釈拡散した液体洗剤液および液体仕上剤液を同じ投入路を経由して水槽に投入するようにして、省スペースと原価低減を実現させることを目的としている。
【課題を解決するための手段】
【００１４】
上記目的を達成するために本発明のドラム式洗濯機は、略水平方向または傾斜方向に回転中心軸を有する回転ドラムと、前記回転ドラムを内包する水槽と、洗剤を収納する、前後が長手方向の洗剤収容容器と、前記洗剤収容容器の最後部に設けられた粉末洗剤収容部と、前記粉末洗剤収納部の前部に設けられた液体洗剤収納部と、前記洗剤収容容器の最前部に設けられた液体仕上剤収容部と、前記洗剤収容容器に注水を行う注水蓋体と、前記洗剤収容容器を引き出し自在に収容する空間部を構成する洗剤投入部枠体と、前記洗剤投入部枠体と前記水槽とを連通する水槽給水経路とを備え、前記液体仕上剤収容部に収容された液剤は、前記液体仕上剤収容部の下流側に設けた液体仕上剤投入路を経由して前記水槽内に流入するとともに、前記液体洗剤収容部に収容された液剤は、前記液体洗剤収容部の後角隅部に形成した液体洗剤流出口から、前記液体洗剤流出口の下方に設けた前記液体仕上剤投入路を経由して前記水槽内に流入するようにしたものである。
【００１５】
これにより、洗剤収容容器の省スペース化と金型構造の簡素化による原価低減を実現することができる。
【発明の効果】
【００１６】
本発明の洗剤収容容器を備えたドラム式洗濯機は、洗剤収容容器の省スペースと原価低減を実現させることができる。
【図面の簡単な説明】
【００１７】
【図１】本発明の実施の形態におけるドラム式洗濯機の縦断面図
【図２】同ドラム式洗濯機の洗剤収容容器部分の斜視図
【図３】同ドラム式洗濯機の洗剤収容容器部分の断面図
【図４】従来のドラム式洗濯機の縦断面図
【図５】同ドラム式洗濯機の洗剤収容容器部分の斜視図
【図６】同ドラム式洗濯機の洗剤収容容器部分の断面図
【発明を実施するための形態】
【００１８】
第１の発明は、略水平方向または傾斜方向に回転中心軸を有する回転ドラムと、前記回転ドラムを内包する水槽と、洗剤を収納する、前後が長手方向の洗剤収容容器と、前記洗剤収容容器の最後部に設けられた粉末洗剤収容部と、前記粉末洗剤収納部の前部に設けられた液体洗剤収納部と、前記洗剤収容容器の最前部に設けられた液体仕上剤収容部と、前記洗剤収容容器に注水を行う注水蓋体と、前記洗剤収容容器を引き出し自在に収容する空間部を構成する洗剤投入部枠体と、前記洗剤投入部枠体と前記水槽とを連通する水槽給水経路とを備え、前記液体仕上剤収容部に収容された液剤は、前記液体仕上剤収容部の下流側に設けた液体仕上剤投入路を経由して前記水槽内に流入するとともに、前記液体洗剤収容部に収容された液剤は、前記液体洗剤収容部の後角隅部に形成した液体洗剤流出口から、前記液体洗剤流出口の下方に設けた前記液体仕上剤投入路を経由して前記水槽内に流入するようにしたことにより、希釈拡散した液体仕上剤液と液体洗剤液が、同じ液体仕上剤投入路を経由して水槽まで流れていくので、洗剤収容容器の省スペース化と金型構造の簡素化による原価低減を実現することができる。
【００１９】
以下、本発明の実施の形態について、図面を参照しながら説明する。なお、この実施の形態によって本発明が限定されるものではない。
【００２０】
（実施の形態１）
図１は、本発明の実施の形態におけるドラム式洗濯機の概略構成を示す縦断面図であり、図２は、同ドラム式洗濯機の洗剤収容容器部分の斜視図を、図３は、図２のＡ−Ａで断面し矢印方向に見た断面図を示すものである。
【００２１】
図１において、回転ドラム４１は、有底円筒形に形成され、外周部に多数の通水孔４２が全面に設けられ、筺体４３内に揺動自在に支持された水槽４４内に回転自在に配設されている。
【００２２】
回転ドラム４１の回転中心に傾斜方向に回転軸（回転中心軸）４５が設けられ、回転ドラム４１の軸心方向は正面側から背面側に向けて下向きに傾斜させている。この回転軸４５に、大プーリ４６、ベルト４７、小プーリ４８を介して、水槽４４の背面側近傍に取り付けたモータ４９を連結し、回転ドラム４１を正転、逆転方向に回転駆動する。回転ドラム４１の傾斜角度は  たとえば１０度とする。
【００２３】
また、回転ドラム４１の内壁面には衣類撹拌用の複数個の突起板５０を設けており、回転ドラム４１を低速で回転させることにより、衣類を突起板で引っ掛けて上方に持ち上げた後、適当な高さで落下させるといった撹拌動作（タンブリング動作）を与えることにより、衣類の撹拌たたき洗い、および乾燥動作などを行なう。
【００２４】
上記の、回転ドラム４１、水槽４４、モータ４９等により、振動系の水槽ユニット５１が構成されている。
【００２５】
水槽４４の正面側で筺体４３の上向き傾斜面に設けた開口部を、扉体５２により開閉自在に覆い、この扉体５２を開くことにより、衣類出入口５３を通して回転ドラム４１内に洗濯物を出し入れできるようにしている。
【００２６】
また、水槽ユニット５１は、筺体４３下方の防振部材５４および上方のばね体（図示せず）により揺動自在に防振支持され、水槽４４の下部には排水経路５６の一端を接続し、排水経路５６の他端を排水弁（排水手段）５７に接続して、水槽４４内の洗濯水を外部に排水する。
【００２７】
また、筺体４３の上部には、筺体４３を覆う天板６２が配設されており、その内方に、制御装置６３が配設されている。制御装置６３は、操作パネル部５９での入力設定手段（図示せず）により運転開始が設定されると、水槽４４内の水位を検知する水位検知手段（図示せず）等からのデータを入力して、モータ４９、排水弁５７、給水弁５８などの動作を制御し、洗い、すすぎ、脱水、乾燥行程などの各行程を制御する。
【００２８】
筺体４３の、正面から見て左上部には、前後が長手方向の洗剤投入部６０が配設されており、洗剤を収容する洗剤収容容器６４と、給水弁５８に接続されて、洗剤収容容器６４に給水する給水路６５に配管された注水蓋体６６と、洗剤収容容器６４が収納された洗剤投入部枠体６７などで構成されている。
【００２９】
前記洗剤投入部枠体６７は、上方に開口を有する有底の断面略コ字状箱体であり、前記注水蓋体６６の下方に配設されており、この注水蓋体６６との間に形成された空間部６８に前記洗剤収容容器６４が収納され、筺体４３の前方より、引き出し自在となっている。
【００３０】
また、注水蓋体６６には、洗剤収容容器６４に給水する水の通水路となる通水空間部（図示せず）と、その底面に多数の小孔を形成した注水口（図示せず）とが形成されており、この注水口を介して洗剤収容容器６４に給水された水が、洗剤収容容器６４に収容された洗剤等（粉末合成洗剤、液体洗剤、液体仕上剤など）と混合され、洗剤投入部枠体６７の底部に形成された洗剤液供給路７０から水槽給水経路６９を経由して、水槽４４内に供給される。
【００３１】
図２の斜視図において、洗剤収容容器６４は、収容容器本体７１、取っ手枠体７２、取っ手カバー７３および収容部蓋体７４などから構成されている。
【００３２】
収容容器本体７１には、長手方向の最後部側に粉末洗剤を投入する粉末洗剤収容部７５が、その前側に液体洗剤を投入する液体洗剤収容部（第１の収容部）７６が、そして最前部に液体仕上剤を投入する液体仕上剤収容部（第２の収容部）７７が形成されており、液体仕上剤収容部７７に対向する位置には、液体仕上剤を投入する液体仕上剤受入口７８が開口された前記収容部蓋体７４が、液体仕上剤収容部７７の上方を覆っている。
【００３３】
液体仕上剤収容部７７の底部には、筒状の液体仕上剤投入口７９が上方に向けて立設されていると共に、収容部蓋体７４には、液体仕上剤投入口７９を外方より覆い、下端が液体仕上剤収容部７７の底部に達する円筒形状の筒状突出部８０が下方に向けて立設されている。
【００３４】
液体洗剤収容部７６の後角隅部には、液体洗剤が流れ出ていく液体洗剤流出口（流出口）８１が形成されており、液体洗剤収容部７６の底面部は、液体洗剤流出口８１に向かって傾斜している。また、液体洗剤収容部７６と液体仕上剤収容部７７との仕切り壁８５は、上方から見た平面形状で、液体洗剤流出口８１向かって傾斜しており、液体洗剤収容部７６の底面部の傾斜と合わせて、液剤が液体洗剤流出口８１へ流れ込みやすいようになっている。
【００３５】
粉末洗剤収容部７５には、粉末洗剤が投入された際にこぼれ出ないように、洗剤落下防止板８２を粉末洗剤投入路８３との間に設け、粉末洗剤が洗剤投入部枠体６７へ落下するのを防止するとともに、給水時には、注水蓋体６６から供給された水とともに洗剤液として洗剤落下防止板８２と粉末洗剤収容部７５との間に形成した流出溝８４より粉末洗剤投入路８３へ流出し、図１に示す洗剤投入部枠体６７の洗剤液供給路７０へ流れ、水槽給水経路６９を経由して、水槽４４内に供給される。
【００３６】
また、取っ手カバー７３は、上面部を軸部にして取っ手枠体７２と嵌合しており、上面部を軸に下面部が開閉自在になっており、取っ手カバー７３を奥側に押して開き、手を差し込んで洗剤収容容器６４を出し入れできるようになっている。
【００３７】
図３の断面図において、液体仕上剤収容部７７に投入された液体仕上剤は、すすぎ行程時に、注水蓋体６６から供給された水とともに、前記筒状突出部８０、液体仕上剤投入口７９、および筒状突出部８０の下端部に略コ字状に切り欠かれた液体洗剤流水口８６の構成により発生するサイフォン現象により、液体仕上剤投入口７９を通って、その下流に設けられた液体仕上剤投入路（投入路）８７へ流れ込み、図１に示す洗剤投入部枠体６７の洗剤液供給路７０へ流れ、水槽給水経路６９を経由して、水槽４４内に供給される。
【００３８】
液体洗剤収容部７６に投入された液体洗剤は、洗い行程の給水時に、注水蓋体６６から供給された水とともに、液体洗剤流出口８１から液体洗剤流出口底面部８８を通り、液体洗剤流出口底面部８８の下方に形成され、前述のように液体仕上剤が流れていく液体仕上剤投入路８７へ落ちて流れていき、以降は液体仕上剤と同様の経路、つまり図１に示す洗剤投入部枠体６７の洗剤液供給路７０へ流れ、水槽給水経路６９を経由して、水槽４４内に供給される。
【００３９】
なお、液体洗剤収容部７６と液体仕上剤収容部７７との位置を前後に入れ替えた構成とし、注水蓋体６６から注水するタイミングを変えるようにしてもよい。
【００４０】
以上のような洗剤収容容器６４の構成により、希釈拡散した液体洗剤液および液体仕上剤液を同じ液体仕上剤投入路８７を経由して、洗剤投入部枠体６７の洗剤液供給路７０、水槽給水経路６９を通じて水槽に投入することができるので、洗剤収容容器６４の省スペースと金型構造の簡素化による原価低減を実現することができる。
【産業上の利用可能性】
【００４１】
以上のように、本発明にかかるドラム式洗濯機は、洗剤収容容器（洗剤ケース）内の液体洗剤液および液体仕上剤液が、同じ液体仕上剤投入路を経由して水槽まで流れていく構成により、洗剤収容容器の省スペース化と金型構造の簡素化による原価低減を実現することが可能となるので、洗剤ケースを備えた他の洗濯機の用途に適用できる。
【符号の説明】
【００４２】
４１  回転ドラム
４４  水槽
６４  洗剤収容容器
６６  注水蓋体
６７  洗剤投入部枠体
６８  空間部
６９  水槽給水経路
７５  粉末洗剤収容部
７６  液体洗剤収容部（第１の収容部）
７７  液体仕上剤収容部（第２の収容部）
８１  液体洗剤流出口（流出口）
８７  液体仕上剤投入路（投入路）
【図１】
0005516298.tif 000002
【図２】
0005516298.tif 000003
【図３】
0005516298.tif 000004
【図４】
0005516298.tif 000005
【図５】
0005516298.tif 000006
【図６】
0005516298.tif 000007